(57)【特許請求の範囲】
【請求項１】
周方向へ近接配置されて共通のスリップリングに摺接する第１、第２ブラシと、
前記両ブラシを径方向変位可能に保持するブラシホルダと、
前記ブラシホルダに保持されて前記両ブラシを径内方向へ個別に付勢する第１、第２ブラシスプリングと、
前記ブラシホルダに固定されて前記両ブラシに給電するターミナルと、
を備えるタンデム式車両用交流発電機において、
前記ブラシホルダは、前記両ブラシを個別に保持するとともに互いに分離して形成された第１、第２ホルダ部を有し、
前記両ホルダ部は、端部が両ホルダ部にインサート成形された金属製のホルダ部結合用接続金具により一体化されていることを特徴とするタンデム式車両用交流発電機。
【請求項２】
請求項１記載のタンデム式車両用交流発電機において、
前記ホルダ部結合用接続金具は、前記ターミナルと一体に構成されているタンデム式車両用交流発電機。
【請求項３】
請求項１記載のタンデム式車両用交流発電機において、
前記第１ホルダ部から突出する第１接続金具と、前記第２ホルダ部から突出する第２接続金具とを有し、
前記ホルダ部結合用接続金具は、前記第１接続金具と前記第２接続金具とを溶接して構成されているタンデム式車両用交流発電機。
【請求項４】
請求項３記載のタンデム式車両用交流発電機において、
前記第１接続金具がインサート成形された前記第１ホルダ部と、前記第２接続金具がインサート成形された前記第２ホルダ部とは、互いに同形に形成されるとともに軸方向にみた場合に線対称に配置されているタンデム式車両用交流発電機。
【請求項５】
請求項３記載のタンデム式車両用交流発電機において、
前記第１接続金具及び前記第２接続金具は、周方向において前記両ブラシの間に位置して前記ホルダ部からそれぞれ径内方向へ突出する先端部を有する金属板からなり、
前記第１接続金具と前記第２接続金具とは、前記先端部において主面同士が密着しているタンデム式車両用交流発電機。
【請求項６】
請求項１乃至５のいずれか記載のタンデム式車両用交流発電機において、
前記両ホルダ部は、前記第１接続金具及び前記第２接続金具から径内方向へ突出する前記先端部よりも径外側にて、互いに密着しているタンデム式車両用交流発電機。
【請求項７】
請求項６記載のタンデム式車両用交流発電機において、
前記両ホルダ部は、前記第１接続金具及び前記第２接続金具から径内方向へ突出する前記先端部よりも径外側にて、互いに凹凸嵌合しているタンデム式車両用交流発電機。
【請求項８】
周方向へ近接配置されて共通のスリップリングに摺接する第１、第２ブラシと、
前記両ブラシを径方向変位可能に保持するブラシホルダと、
前記ブラシホルダに保持されて前記両ブラシを径内方向へ個別に付勢する第１、第２ブラシスプリングと、
前記ブラシホルダに固定されて前記両ブラシに給電するターミナルと、
を備えるタンデム式車両用交流発電機の製造方法において、
前記ブラシホルダは、前記両ブラシを個別に保持するとともに互いに分離して形成された第１、第２ホルダ部を有し、
前記両ホルダ部は、両端部が両ホルダ部にインサート成形された金属製のホルダ部結合用接続金具により一体化され、
前記両ホルダ部のブラシ収容孔が平行となる姿勢にて前記インサート成形を行った後、前記ホルダ部結合用接続金具を曲げることにより、前記両ホルダ部のブラシ収容孔の軸心をそれぞれ略径方向に延在させることを特徴とするタンデム式車両用交流発電機の製造方法。
【発明の詳細な説明】
【技術分野】
【０００１】
本発明はタンデム式車両用交流発電機に関し、特にそのブラシ構造の改良に関する。
【背景技術】
【０００２】
二つのランデル型回転子を縦列（タンデム）結合して２つの発電電圧をそれぞれ独立制御可能に出力するタンデム式車両用交流発電機が下記の特許文献１、２などに提案されている。良く知られているように、ランデル型回転子の界磁巻線への給電にはスリップリングが用いられる。従来のタンデム式車両用交流発電機における二つの界磁巻線への給電は、一つの共通スリップリングと二つの単独スリップリングとを用いることにより回転軸の軸方向長縮小を図るのが普通である。
【０００３】
この場合、共通利用されるスリップリング（共通スリップリングと称する）とこの共通スリップリングに摺接するブラシとからなる共通給電構造体の電流密度が増大するため、上記特許文献は一つのスリップリングの周方向へ二つのブラシを隣接配置することを提案している。以下、この構造を複数ブラシ周方向配置方式と称する。
【特許文献１】特開平５−８３９０６号公報
【特許文献２】特開平５−１３７２９５号公報
【発明の開示】
【発明が解決しようとする課題】
【０００４】
しかしながら、上記した複数ブラシ周方向配置方式を採用する場合、その構造が複雑化し、部材の成形や組み付け作業が複雑化し、汎用車両用交流発電機のブラシアセンブリ製造設備の大幅な変更を伴うなどコストアップにつながる不具合が生じるため、汎用車両用交流発電機に較べて生産台数がそれほど多くないタンデム式車両用交流発電機の価格が一層高価となるという問題点が生じた。
【０００５】
本発明は上記問題点に鑑みなされたものであり、コンパクトで製造が容易なブラシ構造をもつタンデム式車両用交流発電機を提供することをその目的としている。  
【課題を解決するための手段】
【０００６】
上記課題を解決する第１発明は、周方向へ近接配置されて共通のスリップリングに摺接する第１、第２ブラシと、前記両ブラシを径方向変位可能に保持するブラシホルダと、前記ブラシホルダに保持されて前記両ブラシを径内方向へ個別に付勢する第１、第２ブラシスプリングと、前記ブラシホルダに固定されて前記両ブラシに給電するターミナルとを備えるタンデム式車両用交流発電機において、前記ブラシホルダは、前記両ブラシを個別に保持するとともに互いに分離して形成された第１、第２ホルダ部を有し、前記両ホルダ部は、端部が両ホルダ部にインサート成形された金属製のホルダ部結合用接続金具により一体化されていることを特徴としている。
【０００７】
すなわち、この発明は、上記した複数ブラシ周方向配置方式のタンデム式車両用交流発電機のブラシ構造において、第１、第２ブラシを個別に保持する第１、第２ホルダ部を別々に形成し、ホルダ部結合用接続金具により一体化した点をその特徴としている。
【０００８】
このようにすれば、タンデム式車両用交流発電機の軸方向長短縮に有効な複数ブラシ周方向配置方式のブラシ構造の製造を簡素化することができるとともにブラシ構造の堅牢性、耐振性を向上することができる。以下、更に詳しく説明する。
【０００９】
複数ブラシ周方向配置方式で重要なことは、両ホルダ部のブラシ収容孔をそれぞれほぼ径方向すなわち求心方向とすることである。両ホルダ部を一体成形すると、ブラシ構造に十分な堅牢性、耐振動性を与えることができる。しかし、この場合には、上記したブラシ収容孔がそれぞれ近接して求心方向に開口するため、これら二つのブラシ収容孔を形成するための金型を成形完了後に両ホルダ部から引き抜くのが困難となる。
【００１０】
また、両ホルダ部を全く別々に構成してそれぞれ別個に発電機ハウジングに固定することも考えられるが、この場合には、両ホルダ部の堅牢性、耐振動性が低下してしまう。特に振動によるホルダ部の締結ボルト周りの回動が懸念される。
【００１１】
これに対して、この発明では、複数ブラシ周方向配置方式のブラシ構造において、周方向に近接乃至隣接する二つのホルダ部が、インサート成形されたホルダ部結合用接続金具により一体化しているため、簡素な製造工程により複数ブラシ周方向配置方式のブラシ構造を実現することができる。なお、本発明のブラシ構造においても、両ホルダ部のブラシ収容孔は求心方向に開口されるが、インサート成形後の塑性変形や溶接などのホルダ部結合用接続金具の後加工により、成形時に両ホルダ部のブラシ収容孔をたとえば金型引き抜きが容易な平行に配置し、その後、ホルダ部結合用接続金具の上記後加工により両ホルダ部のブラシ収容孔の開口方向を求心方向に容易に変形されることができるため、製造工程の困難化を防止することができる。
【００１２】
好適な態様において、前記ホルダ部結合用接続金具は、前記ターミナルと一体に構成されている。これにより、部品点数を低減できるとともに、両ブラシの電流密度を均一化して発熱集中を防止することができる。
【００１３】
好適な態様において、前記第１ホルダ部から突出する第１接続金具と、前記第２ホルダ部から突出する第２接続金具とを有し、前記ホルダ部結合用接続金具は、前記第１接続金具と前記第２接続金具とを溶接して構成されている。このようにすれば、複数ブラシ周方向配置方式のブラシ構造を容易かつ堅牢に形成することができる。
【００１４】
好適な態様において、前記第１接続金具がインサート成形された前記第１ホルダ部と、前記第２接続金具がインサート成形された前記第２ホルダ部とは、互いに同形に形成されるとともに軸方向にみた場合に線対称に配置されている。このようにすれば、金型を含む製造設備の簡素化と部品点数の削減とを実現することができる。なお、この場合、単独スリップリングに摺接する単独ブラシをそれぞれ保持する２つのホルダ部も同様に別々に同形に製造することが好適である。
【００１５】
好適な態様において、前記第１接続金具及び前記第２接続金具は、周方向において前記両ブラシの間に位置して前記ホルダ部からそれぞれ径内方向へ突出する先端部を有する金属板からなり、前記第１接続金具と前記第２接続金具とは、前記先端部において主面同士が密着している。このようにすれば、溶接が容易となり、かつ、両接続金具間の電気抵抗を低減することができる。
【００１６】
好適な態様において、前記両ホルダ部は、前記第１接続金具及び前記第２接続金具から径内方向へ突出する前記先端部よりも径外側にて、互いに密着している。このようにすれば、両ホルダ部が両接続金具の先端部の径方向外側にて互いに密着しているためこの部位にいわゆる保護用のブラシカバーを配置することなく、両接続金具の先端部及びスリップリング主要空間を囲覆してそれらの保護並びにブラシ粉飛散の防止を図ることができる。
【００１７】
好適な態様において、前記両ホルダ部は、前記第１接続金具及び前記第２接続金具から径内方向へ突出する前記先端部よりも径外側にて、互いに凹凸嵌合している。これにより、両ホルダ部の一体性、密閉性を向上することができる。
【００１８】
上記課題を解決する第２発明は、周方向へ近接配置されて共通のスリップリングに摺接する第１、第２ブラシと、前記両ブラシを径方向変位可能に保持するブラシホルダと、前記ブラシホルダに保持されて前記両ブラシを径内方向へ個別に付勢する第１、第２ブラシスプリングと、前記ブラシホルダに固定されて前記両ブラシに給電するターミナルとを備えるタンデム式車両用交流発電機の製造方法において、前記ブラシホルダは、前記両ブラシを個別に保持するとともに互いに分離して形成された第１、第２ホルダ部を有し、前記両ホルダ部は、両端部が両ホルダ部にインサート成形された金属製のホルダ部結合用接続金具により一体化され、前記両ホルダ部のブラシ収容孔が平行となる姿勢にて前記インサート成形を行った後、前記ホルダ部結合用接続金具を曲げることにより、前記両ホルダ部のブラシ収容孔の軸心をそれぞれ略径方向に延在させることを特徴としている。
【００１９】
この発明は、第１発明のブラシ構造（ブラシアセンブリ）の製造に際して、両ホルダ部のブラシ収容孔が平行となる姿勢にてインサート成形によりホルダ部を成形した後、ホルダ部結合用接続金具を曲げてこれら二つのブラシ収容孔の軸心をそれぞれ略径方向に延在させるため、製造特にインサート成形工程が非常に簡素となる。
【発明を実施するための最良の形態】
【００２３】
本発明のタンデム式車両用交流発電機の好適実施形態を図面を参照して説明する。ただし、本発明は下記の実施形態に限定解釈されるべきではなく、本発明の技術思想を他の公知技術を組み合わせて実施してもよい。
【００２４】
（第１実施形態）
（全体構造の説明）
第１実施形態のタンデム式車両用交流発電機の全体構成を図１を参照して説明する。図１はこの発電機の軸方向断面図である。ただし、構造が複雑な部位があるため、一部部材の断面についてハッチングが省略されている。
【００２５】
このタンデム式車両用交流発電機は、プーリ１に固定されたシャフト２と、シャフト２を回転自在に軸承するベアリング３、４と、ベアリング３、４を支承する非磁性のフロントハウジング５及びリアハウジング６とを有している。７は、フロントハウジング５及びリアハウジング６とともにハウジングを構成するセンターハウジング、７０はこれらハウジング５〜７を一体固定するためのスルーボルトである。
【００２６】
フロントハウジング５及びリアハウジング６は、第一電機子と第二電機子とを軸方向に挟持している。第一電機子は、電機子コイル８と、電機子コイル８が巻装された積層鉄心９とからなる。第二電機子は、電機子コイル１０と、電機子コイル１０が巻装された積層鉄心１１とからなる。
【００２７】
スルーボルト７０の挟圧力を用いて、フロントハウジング５及びセンターハウジング７は積層鉄心９を軸方向に挟持し、センターハウジング７及びリアハウジング６は積層鉄心１１を軸方向に挟持している。
【００２８】
第一界磁回転子が積層鉄心９の径方向内側に、第二界磁回転子が積層鉄心１１の径方向内側に配置されている。第一界磁回転子は、ランデル型界磁コア１２と、ランデル型界磁コア１２に巻装された界磁巻線１３とからなる。第二界磁回転子は、ランデル型界磁コア１４と、ランデル型界磁コア１４に巻装された界磁巻線１５とからなる。
【００２９】
電機子コイル８、１０が出力する三相交流電圧は、一対の三相整流器（一個は図示せず）１６により個別に整流されて別々に出力される。ただし、図１では電機子コイル１０が出力する三相交流電圧を出力する三相整流器１６の断面はハッチングなしに模式図示され、電機子コイル８が出力する三相交流電圧を出力する三相整流器１６は三相整流器１６に隠れているため図示省略されている。一対の三相整流器１６はリアハウジング６の外端面に締結ボルト１７により固定されている。
【００３０】
ランデル型界磁コア１２、１４は、ボス部とディスク部と爪状磁極部とをそれぞれもつ一対のハーフコアを向かい合わせに軸方向に重ねてシャフト２に軸方向順番に嵌着固定されている。ボス部はシャフト２に嵌着される円筒状部分であり、ディスク部はボス部の端部から径方向外側に突出する柱状部分であり、爪状磁極部はディスク部の径方向外端から軸方向に延在する爪状部分である。１２０はランデル型界磁コア１２の前端面に固定された冷却ファン、１４０はランデル型界磁コア１４の後端面に固定された冷却ファンである。
【００３１】
（電気部品室の説明）
リアハウジング６の端壁を貫通して後方へ突出するシャフト２の後端部に、３つのスリップリング１８ａ、１８ｂ、１８ｃが互いに軸方向へ小間隙を隔てて嵌着固定されている。リアハウジング６の外端面に、ブラシアセンブリ１９及びレギュレータ２０が固定されている。リアハウジング６の外端面は、樹脂製のエンドカバー２３により囲覆されている。リアハウジング６の外端面に固定された一対の三相整流器１６、３つのスリップリング１８ａ、１８ｂ、１８ｃ、ブラシアセンブリ１９及びレギュレータ２０は、リアハウジング６の外端面とエンドカバー２３との間の略閉鎖された空間からなる電気部品室内に分散配置されている。電気部品室内のブラシアセンブリ１９、レギュレータ２０及びエンドカバー２３は、三相整流器１６と同じく複雑な形状と配置をもつため、図１におけるそれらの断面はハッチングなしに模式図示されている。
【００３２】
上記したタンデム式車両用交流発電機は、図示なき車両エンジンにより駆動されて発電するが、この種のタンデム式車両用交流発電機の構造及び動作は公知であるためその構造及び動作に関するこれ以上の説明は省略する。
【００３３】
（ブラシアセンブリ１９の説明）  
この実施例のブラシアセンブリ（ブラシ構造）１９の構造を図１、図２を参照して説明する。図２は図１のＡーＡ線矢視断面図である。
【００３４】
界磁巻線１３の両端は、一対のリード線２１によりスリップリング１８ａ、１８ｃに個別に接続されている。界磁巻線１５の両端は、一対のリード線２２によりスリップリング１８ｂ、１８ｃに個別に接続されている。
【００３５】
ブラシアセンブリ１９は、スリップリング１８ａに摺接するブラシ１９１と、スリップリング１８ｂに摺接するブラシ１９２と、スリップリング１８ｃに摺接する一対のブラシ１９３、１９４とを有している。ブラシ１９１、１９２、１９３は図１において上下方向に延在し、ブラシ１９４は図２に示すように斜め上方へ延在している。ただし、図１では、ブラシ１９３だけが図示され、ブラシ１９４は図示されていない。ブラシ１９１はレギュレータ２０の第１のハイサイド側界磁電流断続トランジスタを通じて給電され、ブラシ１９２はレギュレータ２０の第２のハイサイド側界磁電流断続トランジスタを通じて給電されている。ブラシ１９３、１９４は接地されている。
【００３６】
ブラシ１９３、１９４の配置を図２を参照して説明する。
【００３７】
ブラシ１９３は、ブラシホルダ（本発明で言うホルダ部）２０１のブラシ収容孔に径方向変位自在に収容されている。２０２はブラシ１９３をスリップリング１８ｃに押しつけるブラシスプリングである。ブラシホルダ２０１にはターミナル２０３がインサート成形されている。ブラシホルダ２０１から外部に突出するターミナル２０３の外部突出部分は外部接続端子を構成し、図示しないねじ又はボルトによりリアハウジング６の外端面に固定され、ターミナル２０３はピグテールを通じてブラシ１９３に給電している。ブラシホルダ２０１にはターミナル２０３と一体の接続金具２０４がインサート成形されている。接続金具２０４は図２に示すようにブラシ１９３と略平行に延設されており、接続金具２０４の先端部はブラシホルダ２０１から径方向内側に突出している。
【００３８】
ブラシ１９４は、ブラシホルダ２０１'のブラシ収容孔に径方向変位自在に収容されている。２０２'はブラシ１９３をスリップリング１８ｃに押しつけるブラシスプリングである。ブラシホルダ２０１'にはターミナル２０３'がインサート成形されている。ブラシホルダ２０１'から外部に突出するターミナル２０３'の外部突出部分は外部接続端子を構成し、図示しないねじ又はボルトによりハウジングに固定され、ターミナル２０３'はピグテールを通じてブラシ１９４に給電している。ブラシホルダ２０１'にはターミナル２０３'と一体の接続金具２０４'がインサート成形されている。接続金具２０４'は図２に示すようにブラシ１９４と略平行に延設されており、接続金具２０４'の先端部はブラシホルダ２０１'から径方向内側に突出している。接続金具２０４の先端部と接続金具２０４'の先端部は、密着されて溶接されている。図２において、溶接部分２０５は黒色に図示されている。
【００３９】
２０６は、部分円筒形状に形成された樹脂製のホルダカバーであり、ブラシホルダ（ホルダ部）２０１、２０１'とともにスリップリング１８ｃを囲覆している。ただし、スリップリング１８ａ及び１８ｂの位置では、ホルダカバー２０６はブラシホルダ２０１とともにスリップリング１８ａ及び１８ｂを囲覆している。
【００４０】
なお、この実施形態では、ブラシホルダ２０１はブラシ１９１〜１９３を収容し、ブラシホルダ２０１'はブラシ１９４だけを保持している。２０７は、ブラシ１９２に接続されるターミナルである。図１において、ターミナル２０７の背後にはブラシ１９１に接続されるターミナルが隠れている。
【００４１】
（変形態様）
上記実施形態では、ブラシホルダ２０１は３本のブラシ１９１〜１９３を収容したが、その代わりにブラシ１９１〜１９３を互いに同形の３つのブラシホルダに個別に収容し、これら３つのブラシホルダを一体に締結してもよい。これにより、部品点数の低減と製造工程の簡素化を実施することができる。
【００４２】
この場合、ブラシ１９４を収容するブラシホルダ２０１'は、これら３つのブラシホルダと同形に製造し、図２に示すように鏡面対称（線対称）に配置することが好適である。これにより、金型を含む製造設備の簡素化と部品点数の削減とを実現することができる。
【００４３】
また、上記実施形態では、ターミナル２０３と接続金具２０４とを別体としたが、両者を一体に形成しても良い。同じく、ターミナル２０３'と接続金具２０４'とを別体としたが、両者を一体に形成しても良い。これにより、部品点数を低減できるとともに、両ブラシの電流密度を均一化して発熱集中を防止することができる。
【００４４】
また、ブラシホルダ２０１とブラシホルダ２０１'とは、図３に示すように、垂直線に対してほぼ等しい角度でＶ字形状となるようにそれぞれ斜め上方へ延設してもよい。また、インサート成形した接続金具２０４、２０４'の代わりに締結などにより接続金具２０４、２０４'を締結して一体化してもよい。接続金具２０４、２０４'の位置は、ブラシホルダ２０１、２０１'を一体化できるのであれば、他の部位でもよい。
【００４５】
（実施例効果）
このブラシアセンブリ１９の特徴を以下に説明する。
【００４６】
まず、この実施形態では、一つのスリップリング１８ｃと二つの界磁巻線１３、１５とを接続するために、二つのブラシ１９３、１９４をスリップリング１８ｃの周りに角度を変えてスリップリング１８ｃに摺設させている。すなわち、二つの界磁巻線１３、１５を一つのブラシ１９３の一つのターミナル２０３の外部接続端子に接続するのではなく、異なるターミナル２０３、２０３'に二つのブラシ１９３、１９４を別々に接続している。これにより、部品点数を低減し、構造を簡素化することができる。
【００４７】
また、この実施形態では、互いに同形の接続金具２０４、２０４'は互いに溶接されて二つのブラシホルダ２０１、２０１'を強固に一体化する。これにより、ブラシホルダ２０１、２０１'の耐振動性を向上することができる。
【００４８】
また、この実施形態では、接続金具２０４、３０４'は、それぞれ径内方向へ突出する先端部を有する板状金属部材からなり、これら先端部の主面同士は密着して径方向に延在している。これにより、溶接が容易となり、かつ、接続金具２０４、２０４'間の電気抵抗を低減することができる。
【００４９】
また、この実施形態では、図２に示すように、樹脂製のブラシホルダ（ホルダ部）２０１、２０１'は、接続金具（第１接続金具）２０４と接続金具（第２接続金具）２０４'の径内方向へ突出する先端部よりも径外側にて、互いに密着している。このようにすれば、接続金具２０４、２０４'の径方向外側にてブラシホルダ（ホルダ部）２０１、２０１'の間にブラシカバーを配置することなく、接続金具２０４、２０４'の先端部及びスリップリング１８ｃを囲覆することができる。
【００５０】
（第２実施形態）
第２実施形態のブラシアセンブリ１９'の製造方法を図４、図５を参照して説明する。図４はロータ側から軸方向にみたブラシホルダ２０１、２０１'のインサート直後の状態を示し、図５はロータ側から軸方向にみたブラシアセンブリ１９'の完成状態を示す。
【００５１】
この実施形態の特徴は、図２に示す接続金具２０４、２０４'を省略し、その代わりに、同一金型にてブラシホルダ２０１、２０１'と一体に成形された接続金具２０８により構成しても良い。この接続金具２０８は、ブラシホルダ２０１、２０１'の接触部位よりも径外側に配置されている。接続金具２０８は、ターミナル２０３、２０３'と一体に形成されてインサート成形によりブラシホルダ２０１、２０１'と一体化されている。
【００５２】
図４に示すように、成形時において、ブラシホルダ２０１、２０１'の各ブラシ収容孔が平行、かつ、接続金具２０８がそれとブラシ収容孔の延在方向と直角に延在している。この状態にてインサート成形を実施すると、成形後に二つのブラシ収容孔からの金型の抜き出しが容易となる。
【００５３】
成形後、接続金具２０８を曲げて、ブラシホルダ２０１のブラシ収容孔の中心軸とブラシホルダ２０１'のブラシ収容孔の中心軸をそれぞれ求心方向とする。
【００５４】
更に、この実施形態では、上記接続金具２０８の曲げ加工時に互いに嵌合可能な突部２０９と孔部２１０とを、ブラシホルダ２０１、２０１'の接触面に個別に設けている。これにより、この接触部位の緊密性を向上することができる。
【００５５】
（変形態様）
上記実施形態では、ブラシホルダ２０１に対してブラシホルダ２０１'をシャフト２の周方向へ曲げたが、その代わりに、図６に示すようにブラシホルダ２０１'をブラシホルダ２０１のブラシ収容孔の中心軸を中心として直角に回動させてもよい。この場合には、ブラシホルダ２０１、２０１'を連結する接続金具２１１は、ブラシホルダ２０１、２０１'の頂点を接続することが好適である。
【００５６】
（第３実施形態）
第３実施形態を図７を参照して説明する。図７は、リアハウジング６から後方へ突出したシャフト２の後端部に嵌着されたスリップリング１８ａ、１８ｂ、１８ｃと、それに個別に摺接するブラシ１９１〜１９３を、軸方向後方から軸方向前方へ見た図である。ただし、正確には、スリップリング１８ｂ、１８ｃはスリップリング１８ａの背後に隠れており、ブラシ１９２はブラシ１９３の背後に隠れている。
【００５７】
この実施形態は、共通ブラシであるブラシ１９３の周方向幅（正確には左右幅）Ｙは、単独ブラシであるブラシ１９１、１９２の周方向幅（正確には左右幅）Ｘよりも広く形成されている。ただし、ブラシ１９１、１９２、１９３の左右方向中心は一致している。このようにすれば、大電流が流れるブラシ１９３の電流密度を低減できる。
【００５８】
なお、ブラシ１９３の周方向幅（正確には左右幅）Ｙは、ブラシ１９１、１９２の周方向幅（正確には左右幅）Ｘの４０〜７０％増しに形成されている。なお、ブラシ１９１〜１９３の軸方向幅は等しくされている。もちろん、ブラシ１９３の軸方向幅をブラシ１９１、１９２の軸方向幅よりも１０〜３０％程度増大させてもよい。このようにすれば、ブラシアセンブリ１９の軸方向長の増大を抑止しつつ、ブラシ１９３の電流密度増大を抑止することができる。
【図面の簡単な説明】
【００５９】
【図１】第１実施形態のタンデム式車両用交流発電機の軸方向断面図である。
【図２】図１のブラシの径方向断面図である。
【図３】第１実施形態のブラシアセンブリの変形態様を示す径方向断面図である。
【図４】第２実施形態のブラシアセンブリの樹脂成形直後の状態を示す図である。
【図５】第２実施形態のブラシアセンブリの接続金具曲げ加工完了状態を示す図である。
【図６】第２実施形態のブラシアセンブリの変形態様を示す模式図である。
【図７】第３実施形態のブラシアセンブリの配置を示す図である。
【符号の説明】
【００６０】
１      プーリ
２      シャフト
３      ベアリング
５      フロントハウジング
６      リアハウジング
７      センターハウジング
８      電機子コイル
９      積層鉄心
１０      電機子コイル
１１      積層鉄心
１２      ランデル型界磁コア
１３      界磁巻線
１４      ランデル型界磁コア
１５      界磁巻線
１６      三相整流器
１７      締結ボルト
１８ａ      スリップリング
１８ｂ      スリップリング
１８ｃ      スリップリング
１９      ブラシアセンブリ
２０      レギュレータ
２１      リード線
２２      リード線
２３      エンドカバー
７０      スルーボルト
１９１      ブラシ
１９２      ブラシ
１９３      ブラシ
１９４      ブラシ
２０１      ブラシホルダ
２０２      ブラシスプリング
２０３      ターミナル
２０４      接続金具
２０５      溶接部分
２０１'      ブラシホルダ
２０２'      ブラシスプリング
２０３'      ターミナル
２０４'      接続金具
２０５      溶接部分
２０６      ホルダカバー
２０７      ターミナル
２０８      接続金具
２０９      突部
２１０      孔部
２１１      接続金具
【図１】
0004697018.tif 000002
【図２】
0004697018.tif 000003
【図３】
0004697018.tif 000004
【図４】
0004697018.tif 000005
【図５】
0004697018.tif 000006
【図６】
0004697018.tif 000007
【図７】
0004697018.tif 000008